(57)【特許請求の範囲】
【請求項１】
撮影手段および表示手段を含む携帯端末と、
画像処理装置と、
前記携帯端末および前記画像処理装置と相互に通信可能なサーバーとを備え、
前記画像処理装置は、
当該画像処理装置で使用する消耗品の状態を検出するための検出手段と、
前記消耗品に関する情報を、前記検出された消耗品の状態に応じて更新するための管理手段と、
前記消耗品の状態に応じて、前記消耗品に関する情報を前記サーバーに送信するための送信手段とを含み、
前記サーバーは、
前記画像処理装置の位置を記憶するための第１の記憶手段と、
前記携帯端末の位置を記憶するための第２の記憶手段と、
処理手段とを含み、
前記処理手段は、
前記携帯端末の位置から所定範囲内にある画像処理装置を特定し、特定された画像処理装置からの消耗品に関する情報を記憶しているときに、前記消耗品に関する情報から前記携帯端末で前記消耗品を表わす画像を表示させるための情報を生成し、前記生成された情報を前記携帯端末に送信し、
前記携帯端末は、前記撮影手段での撮影画像に前記消耗品を表わす画像を合成して前記表示手段で表示する、画像処理システム。
【請求項２】
前記携帯端末は、前記撮影手段での撮影時の位置および向きを前記サーバーに送信し、
前記サーバーの前記処理手段は、前記携帯端末の撮影範囲にある画像処理装置を特定して当該画像処理装置からの消耗品に関する情報から生成された前記画像を表示させるための情報を前記携帯端末に送信する、請求項１に記載の画像処理システム。
【請求項３】
前記画像処理装置は、前記消耗品の交換時期から所定期間内に達したことを検出すると前記消耗品に関する情報を前記サーバーに送信する、請求項１または２に記載の画像処理システム。
【請求項４】
前記消耗品に関する情報は、当該消耗品を特定する情報および当該消耗品の格納場所に関する情報を含み、
前記サーバーは、前記消耗品を表わす画像および前記消耗品の格納場所を表わす画面を表示させるための情報を生成して、前記携帯端末に送信する、請求項１〜３のいずれかに記載の画像処理システム。
【請求項５】
前記消耗品の格納場所に関する情報は、前記画像処理装置から前記消耗品の格納場所までの経路を表わす情報であり、
前記サーバーは、前記経路を表わす画面を表示させるための情報を生成して前記携帯端末に送信する、請求項４に記載の画像処理システム。
【請求項６】
前記サーバーは、前記消耗品に関する情報から、前記携帯端末に関連付けられたユーザーに応じた前記消耗品を表わす画像を表示させるための情報を生成して前記携帯端末に送信する、請求項１〜５のいずれかに記載の画像処理システム。
【請求項７】
前記消耗品に関する情報は、当該消耗品の対処を許可されたユーザーを特定する情報を含み、
前記サーバーは、前記携帯端末に関連付けられたユーザーが前記特定された画像処理装置からの前記消耗品に関する情報において当該消耗品の対処を許可されたユーザーである場合に、前記消耗品を表わす画像を表示させるための情報を前記携帯端末に送信する、請求項１〜６のいずれかに記載の画像処理システム。
【請求項８】
前記サーバーは、前記画像処理装置から前記消耗品に関する情報を受信した後に、最初に前記画像処理装置を所定範囲内とする位置にある前記携帯端末に、前記消耗品を表わす画像を表示させるための情報を送信する、請求項１〜７のいずれかに記載の画像処理システム。
【請求項９】
携帯端末および画像処理装置と相互に通信可能なサーバーであって、
前記画像処理装置の位置を記憶するための第１の記憶手段と、
前記携帯端末の位置を記憶するための第２の記憶手段と、
前記画像処理装置において使用される消耗品の状態に応じて送信される、前記消耗品に関する情報を記憶するための第３の記憶手段と、
処理手段とを含み、
前記処理手段は、
前記携帯端末の位置から所定範囲内にある画像処理装置を特定し、特定された画像処理装置からの消耗品に関する情報を記憶しているときに、前記消耗品に関する情報から前記携帯端末で前記消耗品を表わす画像を表示させるための情報を生成し、前記生成された情報を前記携帯端末に送信する処理を実行する、サーバー。
【請求項１０】
画像処理装置で使用されている消耗品に関する情報を、撮影手段および表示手段を含む携帯端末に表示させる方法であって、
前記消耗品に関する情報は、少なくとも当該消耗品を特定する情報を含み、
前記画像処理装置での前記消耗品の状態に応じて、当該状態を表わす前記消耗品に関する情報を前記画像処理装置からサーバーに送信するステップと、
前記携帯端末の前記撮影手段での撮影時の位置および向きを前記携帯端末から前記サーバーに送信するステップと、
前記サーバーで記憶されている前記画像処理装置の位置に基づき、前記携帯端末の位置から所定範囲内に前記画像処理装置がある場合に、前記サーバーにおいて、前記画像処理装置からの消耗品に関する情報から前記携帯端末で前記消耗品を表わす画像を表示させるための情報を生成し、前記生成された情報を前記携帯端末に送信するステップと、
前記携帯端末で、前記撮影手段での撮影画像に前記消耗品を表わす画像を合成して前記表示手段で表示するステップとを備える、表示方法。
【請求項１１】
携帯端末および画像処理装置と相互に通信可能なサーバーとして機能するコンピューターで実行されるプログラムであって、
前記プログラムは前記サーバーを、
前記画像処理装置の位置を記憶するための第１の記憶手段、
前記携帯端末の位置を記憶するための第２の記憶手段、
前記画像処理装置において使用される消耗品の状態に応じて送信される、前記消耗品に関する情報を記憶するための第３の記憶手段、および、
処理手段、
として機能させ、
前記処理手段は、前記携帯端末の位置から所定範囲内にある画像処理装置を特定し、特定された画像処理装置からの消耗品に関する情報を記憶しているときに、前記消耗品に関する情報から前記携帯端末で前記消耗品を表わす画像を表示させるための情報を生成し、前記生成された情報を前記携帯端末に送信する処理を実行する、プログラム。
【発明の詳細な説明】
【技術分野】
【０００１】
この発明は画像処理システム、サーバー、表示方法、およびプログラムに関し、特に、画像処理装置の消耗品に関連した情報を携帯端末に表示させるための画像処理システム、サーバー、表示方法、およびプログラムに関する。
【背景技術】
【０００２】
オフィス環境などにおいて、コピー機、プリンター、これらの複合機であるＭＦＰ（Multi-Functional Peripherals）等の画像形成装置が広く用いられている。このような画像形成装置では、多数の消耗品が用いられている。
【０００３】
そのような消耗品を管理する技術として、たとえば特開２０１０−１１７９７９号公報（以下、特許文献１）は、クライアント装置の配置場所や配置された部署を把握し、その配置情報を発注管理サーバーに通知することで、配置情報を発注情報に付加する発注システムを開示している。また、特開平８−１５２８２５号公報（以下、特許文献２）は、画像形成装置における消耗品の在庫データーおよび消耗品の使用データーを記憶し、使用データーに応じて在庫データーを更新し、消耗品の在庫データー、使用データーおよび配送予定日に基づいて、消耗品の適正在庫量を算出する、管理システムを開示している。
【０００４】
消耗品は、装置の設置場所とは別に、倉庫等などで保管されている場合が多い。そのため、消耗品を持ち出す際に、その位置を探す必要がある。
【０００５】
そこで、消耗品の位置をユーザーに通知する技術として、たとえば特開２００６−２２１４２６号公報（以下、特許文献３）は、消耗品にＩＣタグを取り付け、その消耗品を検知するためのセンサーが接続されたネットワークにおいて、接続されたプリンターに消耗品に関するエラーが発生すると自動的に未使用である消耗品の保管位置を検知して、ユーザーに通知するシステムを開示している。
【０００６】
また、特開２００４−２０６５８８号公報（以下、特許文献４）は、消耗品利用機器自身に管理機能を搭載し、他の装置と通信して自身の消耗品と互換性のある消耗品の所在位置を検出する管理装置を開示している。
【先行技術文献】
【特許文献】
【０００７】
【特許文献１】特開２０１０−１１７９７９号公報
【特許文献２】特開平８−１５２８２５号公報
【特許文献３】特開２００６−２２１４２６号公報
【特許文献４】特開２００４−２０６５８８号公報
【発明の概要】
【発明が解決しようとする課題】
【０００８】
しかしながら、オフィス環境などにおいては、多数の種類の画像形成装置が用いられることが多く、また、画像形成装置の高機能化に伴って、１台の画像形成装置においても多数の種類の消耗品が使用されることが多い。つまり、倉庫等で保管される消耗品の種類は増加する一方である。そのため、このような消耗品の倉庫等における格納位置をデーターベース化することが難しくなる。それ故、たとえ上記特許文献に開示されている技術を利用したとしても、必要とする消耗品の倉庫等における格納位置を正確に知ることが難しい、という問題があった。
【０００９】
さらに、複数種類の消耗品が倉庫等で保管される場合、それら消耗品が場所の区別なく保管されている場合がある。そういった場合には、上記特許文献に開示されている技術を利用して当該消耗品の保管場所を把握したとしても、その保管場所だけから必要な消耗品を特定することが難しい場合もある、という問題がある。
【００１０】
本発明はこのような問題に鑑みてなされたものであって、画像処理装置の消耗品の状態を容易な操作で分かりやすく表示することができ、さらに、消耗品の保管場所を携帯端末に分かりやすく表示することのできる画像処理システム、サーバー、表示方法、およびプログラムを提供することを目的としている。
【課題を解決するための手段】
【００１１】
上記目的を達成するために、本発明のある局面に従うと、画像処理システムは、撮影手段および表示手段を含む携帯端末と、画像処理装置と、携帯端末および画像処理装置と相互に通信可能なサーバーとを備える。画像処理装置は、当該画像処理装置で使用する消耗品の状態を検出するための検出手段と、消耗品に関する情報を、検出された消耗品の状態に応じて更新するための管理手段と、消耗品の状態に応じて、消耗品に関する情報をサーバーに送信するための送信手段とを含む。サーバーは、画像処理装置の位置を記憶するための第１の記憶手段と、携帯端末の位置を記憶するための第２の記憶手段と、処理手段とを含む。処理手段は、携帯端末の位置から所定範囲内にある画像処理装置を特定し、特定された画像処理装置からの消耗品に関する情報を記憶しているときに、消耗品に関する情報から携帯端末で消耗品を表わす画像を表示させるための情報を生成し、生成された情報を携帯端末に送信し、携帯端末は、撮影手段での撮影画像に消耗品を表わす画像を合成して表示手段で表示する。
【００１２】
好ましくは、携帯端末は、撮影手段での撮影時の位置および向きをサーバーに送信し、サーバーの処理手段は、携帯端末の撮影範囲にある画像処理装置を特定して当該画像処理装置からの消耗品に関する情報から生成された画像を表示させるための情報を携帯端末に送信する。
【００１３】
好ましくは、画像処理装置は、消耗品の交換時期から所定期間内に達したことを検出すると消耗品に関する情報をサーバーに送信する。
【００１４】
好ましくは、消耗品に関する情報は、当該消耗品を特定する情報および当該消耗品の格納場所に関する情報を含み、サーバーは、消耗品を表わす画像および消耗品の格納場所を表わす画面を表示させるための情報を生成して、携帯端末に送信する。
【００１５】
より好ましくは、消耗品の格納場所に関する情報は、画像処理装置から消耗品の格納場所までの経路を表わす情報であり、サーバーは、その経路を表わす画面を表示させるための情報を生成して携帯端末に送信する。
【００１６】
好ましくは、サーバーは、消耗品に関する情報から、携帯端末に関連付けられたユーザーに応じた消耗品を表わす画像を表示させるための情報を生成して携帯端末に送信する。
【００１７】
好ましくは、消耗品に関する情報は、当該消耗品の対処を許可されたユーザーを特定する情報を含み、サーバーは、携帯端末に関連付けられたユーザーが特定された画像処理装置からの消耗品に関する情報において当該消耗品の対処を許可されたユーザーである場合に、消耗品を表わす画像を表示させるための情報を携帯端末に送信する。
【００１８】
好ましくは、サーバーは、画像処理装置から消耗品に関する情報を受信した後に、最初に画像処理装置を所定範囲内とする位置にある携帯端末に、消耗品を表わす画像を表示させるための情報を送信する。
【００２０】
本発明のさらに他の局面に従うと、サーバーは携帯端末および画像処理装置と相互に通信可能なサーバーであって、画像処理装置の位置を記憶するための第１の記憶手段と、携帯端末の位置を記憶するための第２の記憶手段と、画像処理装置において使用される消耗品の状態に応じて送信される、消耗品に関する情報を記憶するための第３の記憶手段と、処理手段とを含む。処理手段は、携帯端末の位置から所定範囲内にある画像処理装置を特定し、特定された画像処理装置からの消耗品に関する情報を記憶しているときに、消耗品に関する情報から携帯端末で消耗品を表わす画像を表示させるための情報を生成し、生成された情報を携帯端末に送信する処理を実行する。
【００２１】
本発明のさらに他の局面に従うと、表示方法は画像処理装置で使用されている消耗品に関する情報を、撮影手段および表示手段を含む携帯端末に表示させる方法であって、消耗品に関する情報は、少なくとも当該消耗品を特定する情報を含み、画像処理装置での消耗品の状態に応じて、当該状態を表わす消耗品に関する情報を画像処理装置からサーバーに送信するステップと、携帯端末の撮影手段での撮影時の位置および向きを携帯端末からサーバーに送信するステップと、サーバーで記憶されている画像処理装置の位置に基づき、携帯端末の位置から所定範囲内に画像処理装置がある場合に、サーバーにおいて、画像処理装置からの消耗品に関する情報から携帯端末で消耗品を表わす画像を表示させるための情報を生成し、生成された情報を携帯端末に送信するステップと、携帯端末で、撮影手段での撮影画像に消耗品を表わす画像を合成して表示手段で表示するステップとを備える。
本発明のさらに他の局面に従うと、プログラムは、携帯端末および画像処理装置と相互に通信可能なサーバーとして機能するコンピューターで実行されるプログラムである。このプログラムはサーバーを、画像処理装置の位置を記憶するための第１の記憶手段、携帯端末の位置を記憶するための第２の記憶手段、画像処理装置において使用される消耗品の状態に応じて送信される、消耗品に関する情報を記憶するための第３の記憶手段、および、処理手段、として機能させる。処理手段は、携帯端末の位置から所定範囲内にある画像処理装置を特定し、特定された画像処理装置からの消耗品に関する情報を記憶しているときに、消耗品に関する情報から携帯端末で消耗品を表わす画像を表示させるための情報を生成し、生成された情報を携帯端末に送信する処理を実行する。
【発明の効果】
【００２２】
この発明によると、画像処理装置の消耗品の状態を容易な操作で分かりやすく表示することができる。さらに、その消耗品の保管場所を携帯端末に分かりやすく表示することができる。
【図面の簡単な説明】
【００２３】
【図１】実施の形態にかかる画像処理システムの構成の具体例を示す図である。
【図２】画像処理システムに含まれるＭＦＰのハードウェア構成の具体例を示す図である。
【図３】画像処理システムに含まれる携帯端末のハードウェア構成の具体例を示す図である。
【図４】画像処理システムに含まれるサーバーのハードウェア構成の具体例を示す図である。
【図５】画像処理システムでの、情報の流れを表わした図である。
【図６】画像処理システムでの動作概要を表わした図である。
【図７】ＭＦＰの機能構成の具体例を示すブロック図である。
【図８】携帯端末の機能構成の具体例を示すブロック図である。
【図９】サーバーの機能構成の具体例を示すブロック図である。
【図１０】サーバーでの動作の流れの具体例を表わすフローチャートである。
【図１１】携帯端末での動作の流れの具体例を表わすフローチャートである。
【図１２】ＭＦＰでの動作の流れを表わすフローチャートである。
【図１３】携帯端末での表示画像の具体例を示す図である。
【図１４】携帯端末の表示画面の具体例を表わした図である。
【図１５】携帯端末の表示画面の具体例を表わした図である。
【図１６】携帯端末の表示画面の具体例を表わした図である。
【図１７】画像処理システムでの動作概要の第１の変形例を表わした図である。
【図１８】画像処理システムでの動作概要の第２の変形例を表わした図である。
【図１９】図１８のステップＳ７４で携帯端末に表示される画面の具体例を表わした図である。
【発明を実施するための形態】
【００２４】
以下に、図面を参照しつつ、本発明の実施の形態について説明する。以下の説明では、同一の部品および構成要素には同一の符号を付してある。それらの名称および機能も同じである。
【００２５】
＜システム構成＞
図１は、本実施の形態にかかる画像処理システムの構成の具体例を示す図である。
【００２６】
図１を参照して、本実施の形態にかかる画像処理システムは、画像処理装置としての、ＭＦＰ（Multi-Functional Peripheral）１００Ａと、携帯端末２００と、サーバー３００とを含む。
【００２７】
画像処理装置はＭＦＰに限定されず、プリンターやファクシミリ送受信機やコピー機などのその他の装置であってもよい。ＭＦＰ１００は、これら機能を複合的に備えた画像処理装置である。
【００２８】
携帯端末２００は、たとえば携帯電話機などが該当し、少なくともカメラ機能と、指示入力機能と、通信機能とを備えていれば、他の装置であってもよい。
【００２９】
サーバー３００は、一般的なパーソナルコンピューターなどから構成されるものであればよい。
【００３０】
なお、以下の説明では、図１に示されたように、ＭＦＰ１００とは別にサーバー３００が含まれるものとしているが、サーバー３００がＭＦＰ１００に含まれ、ＭＦＰ１００がサーバーとして機能してもよい。
【００３１】
ＭＦＰ１００とサーバー３００とは互いに通信可能であり、情報をやり取りする。ＭＦＰ１００とサーバー３００との通信は、有線、無線を問わず、いずれの通信形態であってもよい。本実施の形態にかかる画像処理システムはオフィス環境で用いられることが想定されるため、一例として、有線、または無線のＬＡＮ（Local Area Network）にＭＦＰ１００とサーバー３００とが接続され、該ネットワークを介して情報をやり取りする通信形態が挙げられる。
【００３２】
携帯端末２００とサーバー３００とも互いに通信可能であり、情報をやり取りする。携帯端末２００とサーバー３００との通信は、無線通信であればどのような通信形態であってもよい。以降の例では電話回線を利用した無線通信であるものとするが、その他、赤外線通信や近距離無線通信などであってもよいし、無線のＬＡＮに携帯端末２００とサーバー３００とが接続されている場合には該ネットワークを介して情報をやり取りする通信形態も挙げられる。
【００３３】
なお、以降の説明において、ＭＦＰ１００とサーバー３００とはＬＡＮを介した通信、および携帯端末２００とサーバー３００とは電話回線を利用した無線通信を行なうものと、すなわちこれらは異なる通信形態であるものとするが、たとえばすべてＬＡＮを介した通信など、同じ通信形態であってもよい。
【００３４】
＜装置構成＞
図２は、ＭＦＰ１００のハードウェア構成の具体例を示す図である。
【００３５】
図２を参照して、ＭＦＰ１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、図示しない原稿台に載置された原稿を光学的に読み取って画像データーを得るためのスキャナー１３と、画像データーを印刷用紙上に固定するためのプリンター１４と、情報を表示したり当該ＭＦＰ１００に対する操作入力を受け付けたりするためのタッチパネルを含んだ操作パネル１５と、画像データーを保存するためのメモリー１６と、ＬＡＮを介した通信の制御するためのネットワークコントローラー１７と、ＭＦＰ１００で用いられている消耗品の状態を検出するためのセンサー１８とを含む。
【００３６】
操作パネル１５は、図示しないタッチパネルと操作キー群とを含む。タッチパネルは、液晶表示装置などの表示装置と光学式タッチパネルや静電容量タッチパネルなどの位置指示装置とが重なって構成され、操作画面を表示して、その操作画面上の指示位置を特定する。ＣＰＵ１０は予め記憶されている画面表示をさせるためのデーターに基づいてタッチパネルに操作画面を表示させる。
【００３７】
センサー１８としては、たとえば、トナー量残量を検出するためのセンサーや、図示しない給紙カセット内の印刷用紙の量を検出するためのセンサーなどの、消耗品の残量を検出するためのセンサーが該当する。また、消耗品が、一定の使用量使用したら交換する部品である場合、当該部品の交換後からの使用量や、交換時期に達するまでの使用量などを検出するためのセンサーであってもよい。
【００３８】
メモリー１６には、さらに、消耗品ごとの情報である消耗品情報と、当該ＭＦＰ１００の設置された位置を表わす情報（位置情報）とが記憶されている。当該ＭＦＰ１００の設置された位置は、当該ＭＦＰ１００が図示しない位置検出機能を有する場合には当該機能によって取得されるものであってもよいし、操作パネル１５から入力されるものであってもよい。
【００３９】
消耗品情報には、消耗品ごとに、型番等の当該消耗品を特定する情報や、現時点での消耗品残量や、交換の要否を特定する情報（たとえばフラグ等）、消耗品の保管場所、およびＭＦＰ１００の設置位置から消耗品の保管場所への経路を表わす情報が含まれる。その他、当該消耗品を直前に交換した時期を特定する情報や、消耗品の画像データーや、消耗品の交換が許可されたユーザー（管理者等）を特定する情報などが含まれていてもよい。これら消耗品情報は、予め入力されているものであってもよいし、センサー１８での検出結果に基づいて更新されるものであってもよい。
【００４０】
なお、ここでの「交換」には、たとえば部品のような、消耗品そのものを新品の消耗品に交換することの他、たとえばトナーのような、消耗品を補充することも含まれる。
【００４１】
図３は、携帯端末２００のハードウェア構成の具体例を示す図である。
図３を参照して、携帯端末２００は、全体を制御するための演算装置であるＣＰＵ２０と、ＣＰＵ２０で実行されるプログラムなどを記憶するためのＲＯＭ２１と、ＣＰＵ２０でプログラムを実行する際の作業領域として機能するためのＲＡＭ２２と、磁気センサーを含んで当該携帯端末２００の向きを検出するための電子コンパス２３と、ＧＰＳ（Global Positioning System）信号または基地局からの位置信号を受信して当該携帯端末の位置情報を取得するためのＧＰＳコントローラー２４と、情報を表示したり当該携帯端末２００に対する操作入力を受け付けたりするためのタッチパネルを含んだ操作パネル２５と、カメラ２６と、図示しない基地局と通信することによる電話回線を介した通信を制御するためのコントローラー２７と、電話帳データーなどを記憶するためメモリー２８とを含む。
【００４２】
操作パネル２５は、ＭＦＰ１００の操作パネル１５と同様の構成であってよい。すなわち、一例として、液晶表示装置などの表示装置と光学式タッチパネルや静電容量タッチパネルなどの位置指示装置とが重なって構成されたタッチパネルと、操作キーとを含む。
【００４３】
ＣＰＵ２００は予め記憶されている画面表示をさせるためのデーターに基づいてタッチパネルに操作画面を表示させる。タッチパネルでは操作画面上の指示位置が特定され、その位置を示す操作信号がＣＰＵ２０に入力される。また、押下されたキーを示す操作信号がＣＰＵ２０に入力される。ＣＰＵ２０は押下されたキー、または表示している操作画面と指示位置とから操作内容を特定し、それに基づいて処理を実行する。
【００４４】
また、電子コンパス２３およびＧＰＳコントローラー２４は、取得した当該携帯端末２００の向きや位置情報を示す信号をＣＰＵ２０に入力する。
【００４５】
図４は、サーバー３００のハードウェア構成の具体例を示す図である。
図４を参照して、サーバー３００は上述のように一般的なコンピュータ等によって構成されるものであり、一例として、全体を制御するための演算装置であるＣＰＵ３０と、ＣＰＵ３０で実行されるプログラムなどを記憶するためのＲＯＭ３１と、ＣＰＵ３０でプログラムを実行する際の作業領域として機能するためのＲＡＭ３２と、ＭＦＰ情報などを記憶するためのＨＤ（Hard Disk）３３と、電話回線を介した通信を制御するための通信コントローラー３４と、ＬＡＮを介した通信の制御するためのネットワークコントローラー３５とを含む。
【００４６】
ＨＤ３３には、ＭＦＰ情報として、ＭＦＰ１００の位置情報と消耗品情報とが記憶されている。この位置情報は、予め入力されることで記憶されているものでもよいし、ＭＦＰ１００から送信されて記憶されてもよい。消耗品情報はＭＦＰ１００から所定のタイミングで送信されることで登録または更新される。
【００４７】
また、ＨＤ３３には、端末情報として、携帯端末２００の位置情報と、当該携帯端末２００に関連付けられたユーザーに関する情報とが記憶されていてもよい。この位置情報は、後述するように携帯端末２００での撮影時に携帯端末２００から送信され、記憶される。携帯端末２００に関連付けられたユーザー情報は、予め入力されることで記憶されているものでもよいし、上記位置情報と共に携帯端末２００から送信されてもよい。
【００４８】
＜動作概要＞
図５は、本実施の形態にかかる画像処理システムでの、情報の流れを表わした図である。
【００４９】
図５を参照して、携帯端末２００は、専用のアプリケーションを起動した上でカメラ２６で撮影すると（＃１）、撮影時の位置および向きを表わす情報（以下、単に位置情報とも称する）をサーバー３００に対して送信する（＃２）。
【００５０】
ＭＦＰ１００は、センサー１８を用いて消耗品の状態を検出し、交換が必要な消耗品、または交換時期が近い消耗品がある場合、当該消耗品についての上記情報をサーバー３００に対して送信する（＃３）。
【００５１】
サーバー３００は、ＭＦＰ１００からの消耗品情報を記憶しておき、携帯端末２００から上記位置情報を受け付けると該当する消耗品情報を検索する（＃４）。サーバー３００は、検索された消耗品情報から後述するタグ情報を生成し、携帯端末２００に対して送信する（＃５）。
【００５２】
タグ情報は、交換が必要または交換時期が近い消耗品に関する付加画像を選択可能に表示させるための情報である。この付加画像を「タグ」とも称する。タグ情報は、第１のタグとして当該消耗品を特定する情報を表示する画像であるタグを表示させるための情報を含む。また、第２のタグとして、上記第１のタグが選択されると当該消耗品の詳細情報や保管場所や当該ＭＦＰから保管場所への経路等を表示する画像であるタグを表示させるための情報を含む。
【００５３】
携帯端末２００は、サーバー３００からタグ情報を受け付けると、当該タグ情報で表わされる画像であるタグを撮影画像に合成して表示する。
【００５４】
図６は、画像処理システムでの動作概要を表わした図である。
図６を参照して、ＭＦＰからは所定のタイミングで位置情報がサーバーに送信され（ステップＳ５１）、サーバーは、受信したＭＦＰの位置情報を保存する（ステップＳ３１）。なお、ＭＦＰの位置情報は、予めサーバーに登録されていてもよい。
【００５５】
また、ＭＦＰでは、所定のタイミングで、センサー１８を用いて各消耗品の状態が検出される（ステップＳ５２）。その結果、交換が必要な消耗品、または交換時期が近い消耗品がある場合、当該消耗品の情報がサーバーに送信され（ステップＳ５３）、サーバーは、受信した消耗品情報を保存する（ステップＳ３２）。
【００５６】
携帯端末においてアプリケーションが起動され（ステップＳ１１）、撮影指示に従ってカメラ２６で撮影されると（ステップＳ１２）、撮影時の位置および向きを表わす位置情報がサーバーに送信され（ステップＳ１３）、サーバーは、受信した携帯端末の位置および向きを表わす情報を保存する（ステップＳ３３）。
【００５７】
サーバーは、上記ステップＳ３１で保存したＭＦＰの位置情報と携帯端末の位置情報とから当該携帯端末の撮影範囲に存在しているＭＦＰを特定し（ステップＳ３４）、当該ＭＦＰの消耗品情報を検索する（ステップＳ３５）。
【００５８】
サーバーは、検索された消耗品情報を用いてタグ情報を生成する（ステップＳ３６）。ここでは、消耗品情報から、上記第１のタグを表示させるための情報と、上記第２のタグを表示させるための情報とを抽出し、予め記憶されているタグ情報のフォーマットにそれら情報を代入する、などの方法で、当該消耗品情報からタグ情報を作成してよい。作成されたタグ情報は携帯端末に送信される（ステップＳ３７）。
【００５９】
携帯端末は、撮影画像にタグ情報から得られる第１のタグを重ねて表示する（ステップＳ１４）。第１のタグは選択可能であって、当該第１のタグが選択（タッチ）されると、携帯端末は、さらにタグ情報から得られる第２のタグを撮影画像に重ねて表示する。
【００６０】
すなわち、第１のタグとして交換が必要または交換時期の近い消耗品を表わすタグが撮影画像に重ねて表示され、当該タグが選択されると、当該消耗品の詳細情報や保管場所や保管場所への経路等が第２のタグとして、撮影画像に重ねて表示される。
【００６１】
なお、上記動作の他の例として、ユーザー認証が含まれてもよい。この場合、ＭＦＰからサーバーに対して、消耗品情報として当該消耗品の交換が許可されたユーザーを特定する情報が送信されてもよいし、予めサーバーにそのユーザーが登録されていてもよい。または、ＭＦＰからサーバーに対して、たとえばログイン操作がなされたタイミングや所定の時間間隔などで、ログインユーザーを特定する情報が送信されてもよい。また、上記ステップＳ１３で携帯端末の位置情報と共に当該携帯端末に関連付けられたユーザー情報が送信されてもよいし、予め携帯端末に関連付けられたユーザー情報が登録されていてもよい。
【００６２】
サーバーは、携帯端末に関連付けられたユーザーが当該消耗品の交換が許可されたユーザーであるか否か、または、当該ＭＦＰにログインしているユーザーであるか否かの認証処理を行ない、認証成功の場合にタグ情報を携帯端末に送信するようにしてもよい。
【００６３】
このようにすることで、当該タグ情報が当該消耗品を取得するためのチケットとしての役割を果たし、このタグ情報を受信した携帯端末に関連付けられたユーザーのみが当該消耗品を取得することが可能となる。
【００６４】
さらに、この場合、サーバーはタグ情報を携帯端末に送信すると、当該消耗品情報を削除するようにしてもよい。または、当該消耗品情報に、すでにタグ情報を携帯端末に送信したことを表わすフラグを立てるなどしてもよい。そして、この場合、次に当該ＭＦＰを撮影範囲とする携帯端末から位置情報が送信された場合であっても、このタグ情報を当該携帯端末に送信しないようにする。
【００６５】
このようにすることで、当該タグ情報が当該消耗品を取得するためのチケットとしての役割を果たし、さらに、最初にタグ情報を受信した携帯端末においてのみ有効となる。すなわち、その後に該当する位置で携帯端末で撮影を行なってもこのチケットを取得することができず、後の携帯端末にとってはこのチケットは無効となる。
【００６６】
なお、上の例では、消耗品情報はＭＦＰに記憶されており、消耗品の交換時期を検知したＭＦＰからサーバーに消耗品情報が送信されてくるものとしている。しかしながら、たとえば消耗品の保管場所やＭＦＰの設置位置から消耗品の保管場所への経路や当該消耗品の画像等の情報はサーバーに予め記憶されていてもよい。そして、消耗品の残量等を表わす消耗品情報をＭＦＰから受信したときに、該当する消耗品情報を読み出して、これら両方の消耗品情報を用いてタグ情報を生成するようにしてもよい。
【００６７】
＜機能構成＞
図７は、上述の動作を実現するためのＭＦＰ１００の機能構成の具体例を示すブロック図である。図７に示される各機能は、ＣＰＵ１０がＲＯＭ１１に記憶されるプログラムを読み出してＲＡＭ１２上で実行することで、主にＣＰＵ１０に形成される機能である。しかしながら、少なくとも一部の機能が図２に示されたハードウェア構成によって形成されてもよい。
【００６８】
図７を参照して、メモリー１６には、消耗品情報を記憶するための消耗品情報記憶部１６１が含まれる。
【００６９】
さらに図７を参照して、ＭＦＰ１００は、センサー１８からのセンサー信号の入力を受け付けるための入力部１０１と、センサー信号に基づいて消耗品ごとに型番等の情報や使用状態（交換の要否、等）を管理するための管理部１０２と、管理部１０２において消耗品の交換が必要または交換時期が近づいていると判断される消耗品に関する消耗品情報をネットワークコントローラー１７を介してサーバーに対して送信するための送信部１０３とを含む。
【００７０】
図８は、上述の動作を実現するための携帯端末２００の機能構成の具体例を示すブロック図である。図８に示される各機能は、ＣＰＵ２０がＲＯＭ２１に記憶されるプログラムを読み出してＲＡＭ２２上で実行することで、主にＣＰＵ２０に形成される機能である。しかしながら、少なくとも一部の機能が図３に示されたハードウェア構成によって形成されてもよい。
【００７１】
図８を参照して、上記動作を実現するための機能として携帯端末２００は、操作パネル２５からの指示入力を受け付けるための指示入力部２０１と、操作パネル２５からの撮影指示に応じてＧＰＳコントローラー２４から得られた信号より当該携帯端末２００の位置を取得するための位置取得部２０２と、操作パネル２５からの撮影指示に応じて電子コンパス２３から得られた信号より当該携帯端末２００の向きを取得するための向き取得部２０３と、操作パネル２５からの撮影指示に応じてカメラ２６による撮影を実行して撮影された画像データーを取得するための画像取得部２０４と、操作パネル２５からの撮影指示に応じて取得された位置および向きを表わす情報をコントローラー２７を介してサーバー３００に対して送信するための送信部２０５と、サーバー３００から送信されたタグ情報の入力をコントローラー２７を介して受け付けるためのタグ情報入力部２０６と、撮影して得られた画像データーにタグ情報に基づいたタグを合成して表示用データーを生成するための生成部２０７と、表示用データーに基づいた画面を操作パネル２５に表示する処理を実行するための表示処理部２０８とを含む。
【００７２】
図９は、サーバー３００の機能構成の具体例を示すブロック図である。図９に示される各機能は、ＣＰＵ３０がＲＯＭ３１に記憶されるプログラムを読み出してＲＡＭ３２上で実行することで、主にＣＰＵ３０に形成される機能である。しかしながら、少なくとも一部の機能が図４に示されたハードウェア構成によって形成されてもよい。
【００７３】
図９を参照して、ＨＤ３３には、ＭＦＰの位置情報や、ＭＦＰで用いられている消耗品に関する消耗品情報を記憶するための記憶領域であるＭＦＰ情報記憶部３３１と、携帯端末２００から送信された当該携帯端末２００の位置情報を記憶するための記憶領域である携帯端末情報記憶部３３２とが含まれる。
【００７４】
さらに図９を参照して、上記動作を実現するための機能としてサーバー３００は、通信コントローラー３４を介して携帯端末２００から撮影時の位置および向きを表わした位置情報の入力を受け付けるための第１入力部３０１と、位置情報を携帯端末情報記憶部３３２に格納するための第１格納部３０２と、ネットワークコントローラー３５を介してＭＦＰ１００から消耗品情報の入力を受け付けるための第２入力部３０３と、消耗品情報をＭＦＰ情報記憶部３３１に格納するための第２格納部３０４と、携帯端末２００の位置情報と記憶されているＭＦＰの位置とから、携帯端末２００の撮影範囲に存在するＭＦＰを特定するための特定部３０５と、特定されたＭＦＰからの消耗品情報を検索するための検索部３０６と、検索された消耗品情報からタグ情報を生成するための生成部３０７と、生成されたタグ情報を通信コントローラー３４を介して携帯端末２００に送信するための送信部３０８とを含む。
【００７５】
＜動作フロー＞
図１０は、サーバー３００での動作の流れの具体例を表わすフローチャートである。図１０のフローチャートに示される動作は、ＣＰＵ３０がＲＯＭ３１に記憶されるプログラムを読み出してＲＡＭ３２上で実行し、図９に示される各機能を発揮することによって実現される。
【００７６】
図１０を参照して、サーバー３００のＣＰＵ３０は、ＭＦＰ１００から消耗品情報を受信すると（ステップＳ１０１でＹＥＳ）、ステップＳ１０３でその消耗品情報を保存する。
【００７７】
携帯端末２００から位置情報を受け付けると（ステップＳ１０５でＹＥＳ）、当該位置情報を保存する（ステップＳ１０７）。
【００７８】
ＣＰＵ３０は、携帯端末の位置情報で表わされる位置および向きと、記憶しているＭＦＰの位置とを比較し、携帯端末の撮影範囲に存在するＭＦＰを特定する。その結果、撮影範囲内に存在するＭＦＰが特定された場合（ステップＳ１０９でＹＥＳ）、ＣＰＵ３０は当該ＭＦＰの消耗品情報を検索する（ステップＳ１１１）。
【００７９】
当該ＭＦＰについての消耗品情報が検索されると（ステップＳ１１３でＹＥＳ）、ステップＳ１１５でＣＰＵ３０は当該消耗品情報に基づいてタグ情報を生成する。
【００８０】
ここでの生成方法は特定の方法には限定されない。一例として、予めタグ情報のフォーマットを記憶しておき、そのフォーマットに、当該消耗品情報から読み出される型番等の消耗品を特定する情報や、保管場所などの情報を書き込むことで生成するようにしてもよい。他の方法であってもよい。
【００８１】
ステップＳ１１７でＣＰＵ３０は、作成したタグ情報を位置情報を送信した携帯端末２００に対して送信する。
【００８２】
図１１は、携帯端末２００での動作の流れの具体例を表わすフローチャートである。図１１のフローチャートに示される動作は、ＣＰＵ２０がＲＯＭ２１に記憶されるプログラムを読み出してＲＡＭ２２上で実行し、図８に示される各機能を発揮することによって実現される。
【００８３】
図１１を参照して、携帯端末２００のＣＰＵ２０は、アプリケーションが起動した状態で操作パネル２５からの撮影指示を受け取ると（ステップＳ３０１でＹＥＳ）、ステップＳ３０３で撮影動作を実行すると共に、ステップＳ３０５でそのときの位置および向きをサーバー３００に対して送信する。
【００８４】
当該位置および向きに応じたＭＦＰの消耗品情報に基づくタグ情報をサーバー３００から受信すると（ステップＳ３０７でＹＥＳ）、ステップＳ３０９でＣＰＵ２０は、受信したタグ情報で表わされるタグを上記ステップＳ３０３の撮影で得られた撮影画像に合成した画面を操作パネル２５に表示する。
【００８５】
図１２は、ＭＦＰ１００での動作の流れを表わすフローチャートである。図１２のフローチャートに表わされる動作は、ＣＰＵ１０がＲＯＭ１１に記憶されるプログラムを読み出してＲＡＭ１２上で実行し、図７に示される各機能を発揮することによって実現される。
【００８６】
図１２を参照して、ＭＦＰ１００のＣＰＵ１０はセンサー１８からのセンサー信号の入力を受け付けると（ステップＳ５０１でＹＥＳ）、ステップＳ５０３でそのセンサー信号に基づいて、関連する消耗品についての消耗品情報を更新する。このセンサー信号としては、たとえば、トナーの残量や、給紙カセット内の用紙枚数などが該当する。ＣＰＵ１０は、このセンサー信号に基づいて、トナーの消耗品情報に含まれる残量を更新したり、印刷用紙の消耗品情報に含まれる残量を更新したりする。
【００８７】
更新された消耗品情報に基づいて、当該消耗品の交換の時期、または交換の時期が近いと判断されると（ステップＳ５０５でＹＥＳ）、ステップＳ５０７でＣＰＵ３０は、当該消耗品情報をサーバー３００に対して送信する。
【００８８】
ここでは、たとえば、ＣＰＵ１０は予め交換時期とする消耗品の残量を記憶していたり、交換時期とする駆動量を記憶していたりし、消耗品情報に基づいてこの交換時期に達していたり交換時期とする残量や駆動量から所定範囲内に達していたりすることが判断されると、ＣＰＵ１０は、当該消耗品の交換の時期または交換の時期が近いと判断する。
【００８９】
＜実施の形態の効果＞
画像処理システムにおいて上述の動作が行なわれることで、携帯端末２００でＭＦＰ１００を撮影すると、当該ＭＦＰ１００で消耗品の交換の時期、または交換の時期が近い場合に、その情報が撮影画像中のＭＦＰ１００に重ねてタグで表示されることになる。
【００９０】
図１３は、携帯端末２００での表示画像の具体例を示す図である。図１３の例では、ＭＦＰにおいてステープル、シアントナー、およびＡ３用紙の補充が必要なタイミングであることが示されている。この場合、ＭＦＰ１００は各センサーからのセンサー信号に基づいてこれら消耗品の交換が必要と判断し、これら消耗品に関する消耗品情報をサーバー３００に対して送信する。そこで、サーバー３００は、これら消耗品情報に基づいてタグ情報を生成して、当該ＭＦＰ１００を撮影した携帯端末２００に対して送信する。これにより、携帯端末２００には、ＭＦＰ１００の撮影画像に重ねてこれら消耗品を表わすタグが表示される。
【００９１】
なお、上述のように、画像処理システムでの動作においては、携帯端末２００に関連付けられたユーザーのユーザー認証が行なわれてもよい。この場合、たとえば携帯端末２００に関連付けられたユーザーが交換を許可されていないユーザーであるときには、その消耗品についてのタグ情報を携帯端末２００に送信しないようにしてもよい。または、予め登録されている交換を許可されたユーザーに対してメール等で通知するようにしてもよい。または、図１４に表わされたように、交換を許可されたユーザー（図１４の例では管理者）を提示するタグを表示させるためのタグ情報を携帯端末２００に送信するようにしてもよい。
【００９２】
このような表示がされることで、ユーザーはＭＦＰに携帯端末を向けて撮影するだけの容易な操作で、当該ＭＦＰで交換時期にある消耗品を一目で把握することができる。
【００９３】
さらに、サーバー３００からのタグ情報には、消耗品の保管場所や、ＭＦＰ１００から消耗品の保管場所までの経路を表わす情報が含まれている。そのため、図１３や図１４に示されたような表示画面においていずれかのタグが選択（タッチ）されると、タッチされた消耗品についての詳細情報が表示される。
【００９４】
図１５は、図１３または図１４において「ステープル切れ」と表示されたタグがタッチされたときに表示される画面の具体例を表わしている。また、図１６は、図１３または図１４において「Ａ３用紙切れ」と表示されたタグがタッチされたときに表示される画面の具体例を表わしている。これら画面においては、選択された消耗品についての具体的な型番や外観画像や保管場所やＭＦＰ１００が設置された位置から消耗品の保管場所までの経路が示されている。
【００９５】
なお、図１４で「シアントナー切れ」と表示されたタグのように、当該携帯端末２００に関連付けられたユーザーが交換を許可されたユーザーとは異なる場合、このタグをタッチしても図１５や図１６のような詳細情報を表わす画面が表示されないようにしてもよい。すなわち、ユーザー認証に成功したユーザーにタッチされた場合にのみ詳細情報を表わす画面が表示されるようにしてもよい。
【００９６】
このような表示がされることで、ユーザーは表示画面上で対象となるタグをタッチするだけの容易な操作で、当該消耗品に関する保管場所等の詳細な情報を得ることができる。
【００９７】
＜変形例１＞
なお、以上に説明された動作では、携帯端末２００での撮影をトリガとして消耗品情報がサーバー３００から携帯端末２００に送信されるものとしている。
【００９８】
他の例として、ＭＦＰ１００での消耗品の交換時期、つまり、ＭＦＰ１００からの消耗品情報の送信をトリガとして消耗品情報がサーバー３００から携帯端末２００に送信されるようにしてもよい。
【００９９】
図１７は、画像処理システムでの動作概要の第１の変形例を表わした図である。
図１７を参照して、携帯端末からは所定のタイミングで位置情報がサーバーに送信され（ステップＳ２１）、サーバーは、受信した携帯端末の位置情報を保存する（ステップＳ４１）。ここでの所定のタイミングとは、たとえば一定時間間隔であってもよいし、サーバーが携帯端末に対して要求したタイミングであってもよい。
【０１００】
その後、上述の動作と同様にしてＭＦＰから消耗品情報が送信されると、サーバーは、上記ステップＳ４１で保存された位置情報に基づいて、消耗品情報を送信したＭＦＰから所定範囲内にある携帯端末を検索する（ステップＳ４２）。そして、検索された携帯端末に対してアプリケーションの起動を要求する（ステップＳ４３）。ここでは、アプリケーションを起動させるためのコマンドを予め記憶しておき、当該コマンドを送信するようにしてもよい。または、他の方法でアプリケーションの起動を要求してもよい。
【０１０１】
上記要求を受け取ると、携帯端末は、アプリケーションを起動し、上述のステップＳ１１以降の動作を行なう。
【０１０２】
画像処理システムにおいてこのような動作が行なわれることで、ＭＦＰにおいて消耗品の交換時期が検出されると、それをトリガとして近傍の携帯端末に対して消耗品情報が送信されることになる。そのため、速やかな消耗品の交換を促すことができる。
【０１０３】
＜変形例２＞
なお、上の例では、携帯端末がＭＦＰ近傍にある場合に消耗品情報に基づく情報が携帯端末に表示されるものとしている。
【０１０４】
さらに他の例として、同様の、消耗品の保管場所へ誘導するための表示が、消耗品の保管場所近傍でも表示されるようにしてもよい。その場合の動作について説明する。
【０１０５】
図１８は、画像処理システムでの動作概要の第２の変形例を表わした図である。
図１８を参照して、携帯端末においてアプリケーションが起動され（ステップＳ７１）、撮影指示に従ってカメラ２６で撮影されると（ステップＳ７２）、撮影時の位置および向きを表わす位置情報がサーバーに送信される（ステップＳ７３）。
【０１０６】
サーバーは、当該携帯端末に先に送信した消耗品情報から、当該消耗品情報に含まれる保管場所における消耗品の位置を表わす情報を検索する（ステップＳ８１）。そして、当該位置を表わす情報を携帯端末に対して送信する（ステップＳ８２）。
【０１０７】
携帯端末は、サーバーから送信された情報に基づいて画面表示する（ステップＳ７４）。
【０１０８】
図１９は、上記ステップＳ７４で表示される画面の具体例を表わした図である。図１９に示されるように、一例として、上記保管場所における消耗品の位置を表わす情報として、位置を表わした画像が挙げられる。この場合、サーバーは消耗品情報に含まれるその画像データーを上記ステップＳ８２で携帯端末に対して送信する。それによって、図１９に表わされたような画面が表示される。
【０１０９】
または、サーバーは、上述の動作と同様に、位置を表わす情報に基づいてタグ情報を生成して携帯端末に送信するようにしてもよい。この場合、上記ステップＳ７４では、撮影画像にタグ情報に基づくタグが合成して表示される。それによって、その撮影画像に表わされた保管場所内での消耗品の位置がタグにて表示される。
【０１１０】
なお、サーバーは、先に消耗品情報を送信した携帯端末から再度位置情報を受信した場合に上記動作を行なうようにしてもよい。または、携帯端末から受信した位置情報が記憶されているＭＦＰの位置を撮影範囲に含むものである場合に図６の動作を行ない、記憶されている消耗品情報に含まれる消耗品の保管場所における位置を撮影範囲に含むものである場合に上記動作を行なうようにしてもよい。
【０１１１】
さらに、上述の動作を、携帯端末、サーバー、ＭＦＰに実行させるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読み取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１２】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１１３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１１４】
提供されるプログラム製品は、ハードディスクなどのプログラム格納部にインストールされて実行される。なお、プログラム製品は、プログラム自体と、プログラムが記録された記録媒体とを含む。
【０１１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１６】
１０，２０，３０  ＣＰＵ、１１，２１，３１  ＲＯＭ、１２，２２，３２  ＲＡＭ、１３  スキャナー、１４  プリンター、１５，２５  操作パネル、１６，２８  メモリー、１７，３５  ネットワークコントローラー、１８  センサー、２３  電子コンパス、２４  ＧＰＳコントローラー、２７  コントローラー、２６  カメラ、３４  通信コントローラー、１００  ＭＦＰ、１０１  入力部、１０２  管理部、１０３，２０５，３０８  送信部、１６１  消耗品情報記憶部、２００  携帯端末、２０１  指示入力部、２０２  位置取得部、２０３  向き取得部、２０４  画像取得部、２０６  タグ情報入力部、２０７，３０７  生成部、２０８  表示処理部、３００  サーバー、３０１  第１入力部、３０２  第１格納部、３０３  第２入力部、３０４  第２格納部、３０５  特定部、３０６  検索部、３３１  ＭＦＰ情報記憶部、３３２  携帯端末情報記憶部。
【図１】
0005776458.tif 000002
【図２】
0005776458.tif 000003
【図３】
0005776458.tif 000004
【図４】
0005776458.tif 000005
【図５】
0005776458.tif 000006
【図６】
0005776458.tif 000007
【図７】
0005776458.tif 000008
【図８】
0005776458.tif 000009
【図９】
0005776458.tif 000010
【図１０】
0005776458.tif 000011
【図１１】
0005776458.tif 000012
【図１２】
0005776458.tif 000013
【図１３】
0005776458.tif 000014
【図１４】
0005776458.tif 000015
【図１５】
0005776458.tif 000016
【図１６】
0005776458.tif 000017
【図１７】
0005776458.tif 000018
【図１８】
0005776458.tif 000019
【図１９】
0005776458.tif 000020